(57)【要約】  公共空間及び私的空間を問わない錠前は、施錠具の分野に属する。構造が同じで、鏡面対称の２つのサブロックシステムを含み、前記サブロックシステムはいずれもシリンダ機構（Ｂ）、機械的ロック機構（Ｄ）及びモータロックシステム（Ｃ）を含む。機械的ロック機構（Ｄ）は前記デッドボルト機構（Ｅ）のロック、ロック解除動作を制限し、前記デッドボルト機構（Ｅ）がロック解除状態のとき、前記機械的ロック機構（Ｄ）が前記デッドボルト機構（Ｅ）の方向に変位するのを制限する。２つの前記シリンダ機構（Ｂ）は１つのデッドボルト機構（Ｅ）を共同で駆動し、前記シリンダ機構（Ｂ）はさらに前記機械的ロック機構（Ｄ）を駆動して、前記デッドボルト機構（Ｅ）のロック、ロック解除動作を制限する。１つの前記モータロックシステム（Ｃ）の出力端が駆動されるとき、もう１つの前記モータロックシステム（Ｃ）の出力端は駆動されない。２つの空間への取付を選択することができ、さらに錠前全体を入れ替える必要はなく、各種論理的設計に適応する。電気制御方式によりそれぞれの側からロックして、それぞれの側のシリンダの回転を防止することができ、電気制御方式によりそれぞれの側からロック解除動作を行うことができる。【選択図】図２
2021526601.tif 000002
【特許請求の範囲】
【請求項１】
構造が同じ２つのサブロックシステムを含み、２つの前記サブロックシステムは両側で鏡面対称に配置され；
２つの前記サブロックシステムはいずれもシリンダ機構、機械的ロック機構及びモータロックシステムを含み；
２つの前記機械的ロック機構の間は互いに干渉せず、前記機械的ロック機構は前記デッドボルト機構のロック、ロック解除動作を制限し、前記デッドボルト機構がロック解除状態のとき、前記機械的ロック機構が前記デッドボルト機構の方向に変位するのを制限し；
２つの前記シリンダ機構は１つのデッドボルト機構を共同で駆動し、前記シリンダ機構はさらに前記機械的ロック機構を駆動して、前記デッドボルト機構のロック、ロック解除動作を制限し；
２つの前記モータロックシステムの間は互いに干渉せず、さらに１つのモータを共用して駆動され、２つの前記モータロックシステムの出力端は周期的に揺動運動を行い、１つの前記モータロックシステムの出力端が駆動されるとき、もう１つの前記モータロックシステムの出力端は駆動されず；
前記モータロックシステムの出力端は、前記シリンダ機構の前記デッドボルト機構に対する出力を制御することを特徴とする、公共空間および私的空間を問わない錠前。
【請求項２】
前記シリンダ機構がデッドボルト制御環、機械的ロック環、電動ロック環、制御カラム、電動ロック解除カム及び弾性リターン部材を含み、前記制御カラムは順番に前記機械的ロック環、電動ロック環及び前記デッドボルト制御環の回転中心を通過し；
前記デッドボルト制御環は前記デッドボルト機構と係合し；
前記弾性リターン部材は前記制御カラムと回転トルクを形成し、前記弾性リターン部材はロック解除の反対方向に前記電動ロック環を牽引し；
２つの前記シリンダ機構は１つの前記デッドボルト制御環を共用し、２つの前記制御カラムは同一軸で相互に回転し；同一鏡面の前記機械的ロック環、前記電動ロック環及び前記制御カラムは同時に回転し；
２つの前記制御カラムのうち１つの制御カラムの端面に回転ロッドが設置され、もう１つの制御カラムの端面にカウンターボアを有し、回転ロッドがカウンターボア内に挿入され、回転ロッドはカウンターボア内で回転することができ；前記回転ロッドは前記デッドボルト制御環を固定されずに通過し、前記デッドボルト制御環は回転ロッドを中心にして回転することができ；
２つの前記制御カラムに第１制御ピン及び第２制御ピンがそれぞれ設けられ、前記第１制御ピン及び第２制御ピンは回転ロッドを中心にして公転し、第１制御ピンがデッドボルト制御環をロック解除方向に制御すること、及び第２制御ピンがデッドボルト制御環をロック解除方向に制御することは同じであり；
前記第１制御ピンは順番に第１鏡面の電動ロック解除カム、第１鏡面の機械的ロック環、第１鏡面の電動ロック環、デッドボルト制御環及び第２鏡面の電動ロック環を通過し、前記第２鏡面の電動ロック環は前記第１制御ピンのロック、ロック解除動作を制限し、前記第１鏡面の電動ロック環は前記第１制御ピンの回転を制限せず；
前記第２制御ピンは順番に第２鏡面の電動ロック解除カム、第２鏡面の機械的ロック環、第２鏡面の電動ロック環、デッドボルト制御環及び第１鏡面の電動ロック環を通過し、前記第１鏡面の電動ロック環は前記第２制御ピンのロック、ロック解除動作を制限し、前記第２鏡面の前記電動ロック環は前記第２制御ピンのロック解除動作を制限せず；
前記機械的ロック環がロック解除の反対方向に回転するとき、前記機械的ロック環は前記機械的ロック機構の出力端を駆動して前記デッドボルト機構のロック解除動作を制限し；
前記モータロックシステムは前記電動ロック解除カムの回転を制御し、前記電動ロック解除カムの回転は前記機械的ロック環の前記デッドボルト機構に対するロック状態を解除することを特徴とする、請求項１に記載の公共空間及び私的空間を問わない錠前。
【請求項３】
第１制御ピン及び第２制御ピンの横断面が扇形であり、扇形の弧度はｍであり；
第１鏡面の電動ロック環に２つの弧状貫通孔を有し、１つの弧状貫通孔の弧度は２ｍ、もう１つの弧状貫通孔の弧度は３ｍであり；
第１制御ピンは第１鏡面の電動ロック環における３ｍ弧度の弧状貫通孔と係合し、第１制御ピンは第１鏡面の電動ロック環における弧状貫通孔内で時計周り及び反時計回りに同じ角度回転することができるが、第１鏡面の電動ロック環を回転させず、第１制御ピンが第１鏡面の電動ロック環における３ｍ弧度の弧状貫通孔の中間位置にあるとき、第１鏡面の電動ロック環は準備状態にあり；
第１制御ピンはデッドボルト制御環の２ｍ弧度の弧状貫通孔と係合し、第１制御ピンがロック解除方向に回転するとき、デッドボルト制御環は続いて回転し、第１制御ピンがロック解除の反対方向にｍ弧度回転するとき、デッドボルト制御環は回転せず；
第１制御ピンは第２鏡面の電動ロック環における２ｍ弧度の弧状貫通孔と係合し、第２鏡面の電動ロック環（９）がロックされた場合、第１制御ピンはロック解除方向に回転することができず、第１制御ピンはロック解除の反対方向にｍ弧度回転することができることを特徴とする、請求項２に記載の公共空間及び私的空間を問わない錠前。
【請求項４】
前記機械的ロックシステムは機械的ロックカム、弾性変形部材、接続片及び機械的ロック筐体を含み；接続片にノッチを有し、弾性変形部材はノッチ内に位置し；
前記弾性変形部材は前記機械的ロック筐体内に位置し、前記接続片の一部は前記機械的ロック筐体内に固定されずに進入し、前記接続片の一端は前記弾性変形部材と接触し、もう一端は前記機械的ロックカムと心棒により接続され；
前記機械的ロックカムは機械的ロック環と係合し、前記機械的ロックカムに位置止め突起が設けられ、前記機械的ロック環にフックが設けられ、前記フックは前記位置止め突起と係合し；
前記機械的ロック環がロック解除の反対方向に回転するとき、前記機械的ロック環は前記機械的ロックカムを駆動して前記デッドボルト機構のロック解除動作を制限し、前記機械的ロック環がロック解除方向に回転するとき、前記機械的ロック環のフックは前記位置止め突起に掛かり、前記機械的ロックカムを前記デッドボルト機構の運動の軌道から離脱させることを特徴とする、請求項３に記載の公共空間及び私的空間を問わない錠前。
【請求項５】
前記機械的ロック筐体に２つの第１位置止め孔が設けられ、２つの前記接続片に第２位置止め孔がそれぞれ対応して設けられ；
１つの鏡面で、１つの心棒が前記第１位置止め孔及び第２位置止め孔に挿入されるとき、１つの前記接続片はロックされ、この鏡面で、前記機械的ロック環は前記機械的ロックカムを駆動して前記デッドボルト機構のロック解除動作を制限することはできないことを特徴とする、請求項４に記載の公共空間及び私的空間を問わない錠前。
【請求項６】
機械的ロック位置センサも含み、前記機械的ロック位置センサは前記機械的ロックシステムの状態位置に定位されることを特徴とする、請求項４又は５に記載の公共空間及び私的空間を問わない錠前。
【請求項７】
機械的ロック環に検出棒状板が設けられ、前記検出棒状板の一端は機械的ロック環とヒンジ連結され、前記検出棒状板のもう一端は検出端であり、前記検出棒状板の検出端は前記機械的ロック位置センサを作動させ；
前記検出棒状板に棒状孔を有し、１つの心棒が前記棒状孔を通過し、前記検出棒状板が心棒を中心にして回転することを特徴とする、請求項６に記載の公共空間及び私的空間を問わない錠前。
【請求項８】
モータロック位置センサも含み、前記モータロック位置センサは前記モータロックシステムの状態位置に定位され；
機械的ロック位置センサ及びモータロック位置センサがセンサシステムを構成する
ことを特徴とする、請求項６に記載の公共空間及び私的空間を問わない錠前。
【請求項９】
前記デッドボルト機構は回転デッドボルト及び弾性材を含み；
前記回転デッドボルトに回転心棒が固定して設けられ、前記回転デッドボルトは前記回転心棒を中心にして回転し；
前記弾性材は前記回転デッドボルトが出た状態を保持するように制御し；
前記回転デッドボルトがドア内に入った状態のとき、前記機械的ロックカムが前記回転デッドボルトの軌道に進入することができないように制限され；
前記回転デッドボルトがドアの外に出た状態で、前記機械的ロック環がロック解除の反対方向に回転するとき、前記機械的ロック環は前記機械的ロックカムを駆動して前記デッドボルトの回転を制限することを特徴とする、請求項１に記載の公共空間及び私的空間を問わない錠前。
【請求項１０】
前記回転デッドボルトの末端の角に位置止めブロックが設けられ；
前記位置止めブロックは前記回転デッドボルトの末端の角部分に固定され、前記位置止めブロック及び前記回転デッドボルトの各面の継ぎ目はいずれも段状構造であり、前記位置止めブロックは突起部分であることを特徴とする、請求項９に記載の公共空間及び私的空間を問わない錠前。
【請求項１１】
前記モータロックシステムが鏡面対称の２組の伝動機構、鏡面対称の２つの電動位置止めフック及び鏡面対称の２つの自動ロック解除カムを含み、対称の２組の伝動機構は１つのモータを共用して駆動され；
前記伝動機構が前記モータの動力を前記電動位置止めフックに伝動し；前記電動ロック環にフック部が設けられ、前記電動位置止めフックは前記電動ロック環のフック部と係合し、電動位置止めフックが前記電動ロック環（２、９）のフック部に掛かるとき、前記電動ロック環はロックされ；
２つの前記自動ロック解除カムがそれぞれ独立して２つの前記電動ロック解除カムを準備状態まで戻すことを特徴とする、請求項１に記載の公共空間及び私的空間を問わない錠前。
【請求項１２】
前記伝動機構は歯車伝動であり、前記伝動機構は入力歯車、第１中間歯車、第２中間歯車、第３中間歯車及び出力歯車を含み、
前記入力歯車は前記第１中間歯車と同軸であり、前記第１中間歯車、第２中間歯車、第３中間歯車及び出力歯車は順番に噛合し；前記第１中間歯車に１つの回転軸が固定され、回転軸に１つのオーバーランニングクラッチが固定して嵌められ、前記オーバーランニングクラッチに前記第１中間歯車（２７）が嵌められ；
前記入力歯車は冠歯車であり；
前記モータ出力端に駆動歯車が設けられ、前記駆動歯車は前記モータの出力軸に嵌められ、前記駆動歯車は２つの前記入力歯車とそれぞれ噛合し；
前記電動位置止めフックの一端はフック部端であり、前記電動位置止めフックのもう一端は心棒接続端であり、前記電動位置止めフックに楕円貫通孔が設けられ、前記電動位置止めフックは心棒接続端を中心にして揺動し；
前記出力歯車の端面に偏心カラムが設けられ、前記偏心カラムは前記楕円貫通孔を通過し；前記出力歯車の中心軸が前記電動位置止めフックの楕円孔を通過し；
前記出力歯車が回転するとき、前記偏心カラムは出力歯車の中心軸を中心にして公転し、前記偏心カラムは前記電動位置止めフックを揺動させることを特徴とする、請求項１１に記載の公共空間及び私的空間を問わない錠前。
【請求項１３】
前記第３中間歯車が前記出力歯車に一方向で出力することを特徴とする、請求項１２に記載の公共空間及び私的空間を問わない錠前。
【請求項１４】
デッドボルトの片面に、第１デッドボルト同期部品及び第２デッドボルト同期部品がデッドボルトの回転軸と同軸で設置され；このうち、前記第２デッドボルト同期部品はデッドボルト及び前記第１デッドボルト同期部品の間に設置されることを特徴とする、請求項１に記載の公共空間及び私的空間を問わない錠前。
【請求項１５】
伸縮材、両端ねじりバネ、及びフックをさらに含み；
前記デッドボルトがロック解除状態のとき、前記フックは前記デッドボルトに当接し；
前記両端ねじりバネが前記フック内に設置され、一端が前記フックを押さえ、もう一端は前記機械的ロック筐体に当接し、これにより前記フックは前記デッドボルトが回転するとき共に動作することができることを特徴とする、請求項１４に記載の公共空間及び私的空間を問わない錠前。
【発明の詳細な説明】
【技術分野】
【０００１】
本発明は施錠具の分野に属し、具体的には、公共空間及び私的空間を問わない錠前である。
【背景技術】
【０００２】
既存の錠前は出荷時に室内及び室外で区分され、これにより私的空間及び公共空間の区分を実現する。錠前を取り付けるとき、両側のいずれも同じ操作を行う必要があれば、実現することができない。既存の錠前は、片側はロックの権限を有し、もう片側はロックの権限を有さない。これらを切り替えることはできず、既存の錠前は１つの使用形式のみを有する。実際の需要に基づいて、機能を選択、調整することはできない。
【０００３】
共有領域で、従来の錠前を採用した場合、必然的に一方向しか操作することができず、空間の共有に不利である。双方向のいずれも該ドアをロックすることができない場合、私的空間のプライバシーは保障することができない。例えば銀行の保安システムは、２つのドアがあるとき、１つのドアから入り、１つのドアから出る。既存の錠前の実現形態は複雑で、入る又は出るドアのタイプを随意に入れ替えることはできない。
【０００４】
既存のデッドボルトの多くは並進運動方式であり、入る及び出るの２つの動作である。既存のデッドボルトは開き戸に適用することしかできず、引き戸に適用することはできない。既存の引き戸は基本的にデッドボルトを有さず、直接外付けの留め具構造を採用してドアのロックを実現する。
【０００５】
既存のドアはいくつかの欠点を有する。
【０００６】
１、風などの外部要因によりドアが力を受けるとき、誤操作が容易に生じ、これにより不本意な戸閉動作が実現される。特に引き戸については、デッドボルトを有さず、このような状況がより容易に生じる。
【０００７】
２、既存のデッドボルトの幅は比較的狭くて折れやすく、特にドアを無理に突き破ると、より容易に壊れる。
【０００８】
３、既存のデッドボルトは並進構造である。デッドボルト及びストライクが係合した後、位置止め構造が無いため、容易に非正常なロック解除が生じ、窃盗の防止に不利である。
【０００９】
４、既存のデッドボルトは１つの方向にしか操作することができず、ドアの方向を入れ替えたい場合、錠前本体を入れ替えるか、または再設定しなければならない。
【００１０】
５、既存のデッドボルトには尖った角が比較的多く、さらにデッドボルトの突出した最も外側の部分は、通常容易に傷がつく。
【００１１】
６、既存のドア錠の種類は多い。特に開き戸及び引き戸は必然的に異なるため、単一の主制御システムでは不利であり、中央制御システムが複雑になり、制限が比較的多くなる。
【００１２】
本発明は空間の共有を設計の概念とする。互いに認識しているかどうかに関わらず、公共又は私的建築物内では空間を共有することができるが、それと同時にプライバシーは失われる。当然、普通のドア錠、中央管理システム、及びスマートロックなどに用途を広げることもできる。
【００１３】
本発明は、単一のシステムが１つの部屋の複数のドア、複数の部屋の複数のドア、及び１つの設計を統合すると同時に、開く方法が異なるドアを取り付けることを設計の論理とする。機能に応じて随意に設定することができるだけでなく、さらに停電で外から鍵をかけられたり、閉め出されたりしなければ、ロック解除しないことを実現し、非常口を常設したドアロックシステムである。
【発明の概要】
【発明が解決しようとする課題】
【００１４】
本発明の目的は、公共空間及び私的空間を問わない錠前を提供することである。２つの空間への取付を選択することができ、さらに錠前全体を入れ替える必要はない。これにより室内を構成する各種設計に適応し、様々なドアの設計の論理的需要に適応する。電気制御方式によりそれぞれの側からロックして、それぞれの側のシリンダの回転を防止することができ、電気制御方式によりそれぞれの側からロック解除動作を行うこともできる。
【課題を解決するための手段】
【００１５】
上記技術的目的を実現するため、本発明が採用した技術案は以下の通りである。
【００１６】
公共空間及び私的空間を問わない錠前は、構造が同じ２つのサブロックシステムを含み、２つの前記サブロックシステムは両側で鏡面対称に配置される。
【００１７】
２つの前記サブロックシステムはいずれもシリンダ機構、機械的ロック機構及びモータロックシステムを含む。
【００１８】
２つの前記機械的ロック機構の間は互いに干渉せず、前記機械的ロック機構は前記デッドボルト機構のロック、ロック解除動作を制限する。前記デッドボルト機構がロック解除状態のとき、前記機械的ロック機構が前記デッドボルト機構の方向に変位するのを制限する。
【００１９】
２つの前記シリンダ機構は１つのデッドボルト機構を共同で駆動し、前記シリンダ機構はさらに前記機械的ロック機構を駆動して、前記デッドボルト機構のロック、ロック解除動作を制限する。
【００２０】
２つの前記モータロックシステムの間は互いに干渉せず、さらに１つのモータを共用して駆動される。２つの前記モータロックシステムの出力端は周期的に揺動運動を行い、１つの前記モータロックシステムの出力端が駆動されるとき、もう１つの前記モータロックシステムの出力端は駆動されない。
【００２１】
前記モータロックシステムの出力端は、前記シリンダ機構の前記デッドボルト機構に対する出力を制御する。
【００２２】
さらに、前記シリンダ機構はデッドボルト制御環、機械的ロック環、電動ロック環、制御カラム、電動ロック解除カム及び弾性リターン部材を含む。前記制御カラムは順番に前記機械的ロック環、電動ロック環及び前記デッドボルト制御環の回転中心を通過する。
【００２３】
前記デッドボルト制御環は前記デッドボルト機構と係合する。
【００２４】
前記弾性リターン部材は前記制御カラムと回転トルクを形成し、前記弾性リターン部材はロック解除の反対方向に前記電動ロック環を牽引する。
【００２５】
２つの前記シリンダ機構は１つの前記デッドボルト制御環を共用し、２つの前記制御カラムは同一軸で相互に回転する。同一鏡面の前記機械的ロック環、前記電動ロック環及び前記制御カラムは同時に回転する。
【００２６】
２つの前記制御カラムのうち１つの制御カラムの端面に回転ロッドが設置され、もう１つの制御カラムの端面にカウンターボアを有する。回転ロッドはカウンターボア内に挿入され、回転ロッドはカウンターボア内で回転することができる。前記回転ロッドは前記デッドボルト制御環を固定されずに通過し、前記デッドボルト制御環は回転ロッドを中心にして回転することができる。
【００２７】
２つの前記制御カラムに第１制御ピン及び第２制御ピンがそれぞれ設けられ、前記第１制御ピン及び第２制御ピンは回転ロッドを中心にして公転する。第１制御ピンがデッドボルト制御環をロック解除方向に制御すること、及び第２制御ピンがデッドボルト制御環をロック解除方向に制御することは同じである。
【００２８】
前記第１制御ピンは順番に第１鏡面の電動ロック解除カム、第１鏡面の機械的ロック環、第１鏡面の電動ロック環、デッドボルト制御環及び第２鏡面の電動ロック環を通過する。前記第２鏡面の電動ロック環は前記第１制御ピンのロック、ロック解除動作を制御し、前記第１鏡面の電動ロック環は前記第１制御ピンの回転を制限しない。
【００２９】
前記第２制御ピンは順番に第２鏡面の電動ロック解除カム、第２鏡面の機械的ロック環、第２鏡面の電動ロック環、デッドボルト制御環及び第１鏡面の電動ロック環を通過する。前記第１鏡面の電動ロック環は前記第２制御ピンのロック、ロック解除動作を制限し、前記第２鏡面の前記電動ロック環は前記第２制御ピンのロック解除動作を制限しない。
【００３０】
前記機械的ロック環がロック解除の反対方向に回転するとき、前記機械的ロック環は前記機械的ロック機構の出力端を駆動して前記デッドボルト機構のロック解除動作を制限する。
【００３１】
前記モータロックシステムは前記電動ロック解除カムの回転を制御し、前記電動ロック解除カムの回転は前記機械的ロック環の前記デッドボルト機構に対するロック状態を解除する。
【００３２】
さらに、第１制御ピン及び第２制御ピンの横断面はいずれも扇形であり、扇形の弧度はｍである。
【００３３】
第１鏡面の電動ロック環に２つの弧状貫通孔を有し、１つの弧状貫通孔の弧度は２ｍであり、もう１つの弧状貫通孔の弧度は３ｍである。
【００３４】
第１制御ピンは第１鏡面の電動ロック環における３ｍ弧度の弧状貫通孔と係合し、第１制御ピンは第１鏡面の電動ロック環の弧状貫通孔内で時計周り及び反時計周りに同じ角度回転することができるが、第１鏡面の電動ロック環を回転させない。第１制御ピンが第１鏡面の電動ロック環における３ｍ弧度の弧状貫通孔の中間位置にあるとき、第１鏡面の電動ロック環は準備状態にある。
【００３５】
第１制御ピンはデッドボルト制御環の２ｍ弧度の弧状貫通孔と係合する。第１制御ピンがロック解除方向に回転するとき、デッドボルト制御環は続いて回転し、第１制御ピンがロック解除の反対方向にｍ弧度回転するとき、デッドボルト制御環は回転しない。
【００３６】
第１制御ピンは第２鏡面の電動ロック環における２ｍ弧度の弧状貫通孔と係合する。第２鏡面の電動ロック環９がロックされた場合、第１制御ピンはロック解除方向に回転することができず、第１制御ピンはロック解除の反対方向にｍ弧度回転することができる。
【００３７】
さらに、前記機械的ロックシステムは機械的ロックカム、弾性変形部材、接続片及び機械的ロック筐体を含む。接続片にノッチを有し、弾性変形部材はノッチ内に位置する。
【００３８】
前記弾性変形部材は前記機械的ロック筐体内に位置し、前記接続片の一部は前記機械的ロック筐体内に固定されずに進入する。前記接続片の一端は前記弾性変形部材と接触し、もう一端は前記機械的ロックカムと心棒により接続される。
【００３９】
前記機械的ロックカムは機械的ロック環と係合し、前記機械的ロックカムに位置止め突起が設けられる。前記機械的ロック環にフックが設けられ、前記フックは前記位置止め突起と係合する。
【００４０】
前記機械的ロック環がロック解除の反対方向に回転するとき、前記機械的ロック環は前記機械的ロックカムを駆動して前記デッドボルト機構のロック解除動作を制限する。前記機械的ロック環がロック解除方向に回転するとき、前記機械的ロック環のフックは前記位置止め突起に掛かり、前記機械的ロックカムを前記デッドボルト機構の運動の軌道から離脱させる。
【００４１】
さらに、前記機械的ロック筐体に２つの第１位置止め孔が設けられ、２つの前記接続片に第２位置止め孔がそれぞれ対応して設けられる。
【００４２】
１つの鏡面で、１つの心棒が前記第１位置止め孔及び第２位置止め孔に挿入されるとき、１つの前記接続片がロックされる。この鏡面で、前記機械的ロック環は前記機械的ロックカムを駆動して前記デッドボルト機構のロック解除動作を制限することはできない。
【００４３】
さらに、機械的ロック位置センサも含み、前記機械的ロック位置センサは前記機械的ロックシステムの状態位置に定位される。
【００４４】
さらに、機械的ロック環に検出棒状板が設けられ、前記検出棒状板の一端は機械的ロック環とヒンジ連結され、前記検出棒状板のもう一端は検出端である。前記検出棒状板の検出端は、前記機械的ロック位置センタを作動させる。
【００４５】
前記検出棒状板に棒状孔を有し、１つの心棒が前記棒状孔を通過し、前記検出棒状板は心棒を中心にして回転する。
【００４６】
さらに、モータロック位置センサも含み、前記モータロック位置センサは前記モータロックシステムの状態位置に定位される。
【００４７】
機械的ロック位置センサ及びモータロック位置センサが、センサシステムを構成する。
【００４８】
さらに、前記デッドボルト機構は回転デッドボルト及び弾性材を含む。
【００４９】
前記回転デッドボルトに回転心棒が固定して設けられ、前記回転デッドボルトは前記回転心棒を中心にして回転する。
【００５０】
前記弾性材は前記回転デッドボルトが出た状態を保持するように制御する。
【００５１】
前記回転デッドボルトがドア内に入った状態のとき、前記機械的ロックカムが前記回転デッドボルトの軌道に進入することができないように制御される。
【００５２】
前記回転デッドボルトがドアの外に出た状態で、前記機械的ロック環がロック解除方向に回転するとき、前記機械的ロック環は前記機械的ロックカムを駆動して前記回転デッドボルトの回転を制限する。
【００５３】
さらに、前記回転デッドボルトの末端の角に位置止めブロックが設けられる。
【００５４】
前記位置止めブロックは、前記回転デッドボルトの末端の角部分に固定される。前記位置止めブロック及び前記回転デッドボルトの各面の継ぎ目はいずれも段状構造であり、前記位置止めブロックは突起部分である。
【００５５】
さらに、前記モータロックシステムは鏡面対称の２組の伝動機構、鏡面対称の２つの電動位置止めフック及び鏡面対称の２つの自動ロック解除カムを含む。対称の２組の伝動機構は１つのモータを共用して駆動される。
【００５６】
前記伝動機構は、前記モータの動力を前記電動位置止めフックに伝動する。前記電動ロック環にフック部が設けられ、前記電動位置止めフックは前記電動ロック環のフック部と係合する。電動位置止めフックが前記電動ロック環２、９のフック部に掛かるとき、前記電動ロック環はロックされる。
【００５７】
２つの前記自動ロック解除カムはそれぞれ独立して２つの前記電動ロック解除カムを準備状態に戻す。
【００５８】
さらに、前記伝動機構は歯車伝動であり、前記伝動機構は入力歯車、第１中間歯車、第２中間歯車、第３中間歯車及び出力歯車を含む。
【００５９】
前記入力歯車は前記第１中間歯車と同軸であり、前記第１中間歯車、第２中間歯車、第３中間歯車及び出力歯車は順番に噛合する。前記第１中間歯車に１つの回転軸が固定される。回転軸に１つのオーバーランニングクラッチが固定して嵌められ、前記オーバーランニングクラッチに前記第１中間歯車２７が嵌められる。
【００６０】
前記入力歯車は冠歯車である。
【００６１】
前記モータ出力端に駆動歯車が設けられ、前記駆動歯車は前記モータの出力端に嵌められる。前記駆動歯車は、２つの前記入力歯車とそれぞれ噛合する。
【００６２】
前記電動位置止めフックの一端はフック部端であり、前記電動位置止めフックのもう一端は心棒接続端である。前記電動位置止めフックに楕円貫通孔が設けられ、前記電動位置止めフックは心棒接続端を中心にして揺動する。
【００６３】
前記出力歯車の端面に偏心カラムが設けられ、前記偏心カラムは前記楕円貫通孔を通過する。前記出力歯車の中心軸は、前記電動位置止めフックの楕円孔を通過する。
【００６４】
前記出力歯車が回転するとき、前記偏心カラムは出力歯車の中心軸を中心にして公転し、前記偏心カラムは前記電動位置止めフックを揺動させる。
【００６５】
さらに、前記第３中間歯車は前記出力歯車に一方向で出力する。
【発明の効果】
【００６６】
本発明は、既存技術と比較していくつかの効果を有する。
【００６７】
１、両側で独立して操作を行うことができ、これにより両側のいずれも公共空間又は私的空間とすることができる。
【００６８】
２、取り付けるとき、空間を選択することができる。機械的ロックシステムの第１位置止め孔及び第２位置止め孔を予め形成することにより、実際に取り付けるとき、片側をロックする、両側をロックしない、又は両側をロックすることを選択する。片側をロックするとき、公共空間は手動でロックすることができず、私的空間のみが手動でロックすることができる。両側をロックしないとき、先に手動でロック解除する側はもう一方のロックを凌ぐ優先権を有する。先に手動でロックする側はもう一方のロック解除を凌ぐ優先権を有し、両側の機械的ロックは順番を問わない。両側をロックするとき、２つの空間はいずれも手動でロックする権限を有さない。
【００６９】
３、モータロックシステムがシリンダ機構に対してロック動作を行い、自動制御の実現に有利である。モータロックシステムは終始片側のみが駆動状態で、もう片側は駆動していない状態であり、繰り返し交代する。１つのモータの正逆回転により駆動を実現し、体積はより小さく、構造は簡素化される。
【００７０】
４、モータロックシステムはシリンダ機構をロック及びロック解除する機能以外に、手動でデッドボルトをロックした状態で、機械的ロック機構を制御して回転デッドボルトに対する制限を解消することもできる。これにより取っ手を準備状態に戻し、停電によりロックされる状態を防止した。
【００７１】
５、機能は豊富であるが、構造はコンパクトで、適応範囲が広い。
【００７２】
６、一方向の歯車伝動を採用し、振動により構造の信頼性に及ぼす影響が起こりにくい。
【００７３】
７、外部からの影響を受けにくく、風及び人自身の誤操作による戸閉動作を防止する。
【００７４】
８、ドアを閉めるとき、デッドボルトはストライク内に進入するだけでなく、段状構造によりストライク内に挟まり、信頼性が高い。
【００７５】
９、錠前本体内で多重のロックを実現し、ロック部分は露出しない。無理に突破する場合、デッドボルトを切断しなければならないが、デッドボルトの設計幅は比較的大きく、安全度が高い。
【００７６】
１０、使用方法、外観及び取付で従来のドアロック方式を保持する。さらに、取っ手の取付方向について、本発明は引き戸及び開き戸のいずれにも対応し、便利に使用することができる。
【００７７】
１１、追加のボタン、赤外線センサ、運動センサ、電磁ロックスイッチなど付属の電子製品を使用しない。
【００７８】
１２、機械式を主とし、電子システムが補助する。使用者の安全を実現する上に、正確な使用下で、プライバシーに配慮することができる。さらに外から鍵をかけられたり、閉め出されたりする状況が生じることはない。
【００７９】
本発明は、図に示す非限定的な実施例によりさらに説明することができる。
【図面の簡単な説明】
【００８０】
【図１】図１は、本発明の構造概要図である。
【図２】図２は、本発明をドアに取り付けたときの構造概要図である。
【図３】図３は、本発明を解体した構造概要図である。
【図４】図４は、本発明の分解概要図である。
【図５】図５は、本発明のデッドボルト機構Ｅの動作概要図である。
【図６】図６は、本発明の機械的ロックシステムＤ及びシリンダ機構Ｂを係合した構造概要図である。
【図７】図７は、モータロックシステムＣ及び電動ロック解除カム６を係合した自動ロック解除過程の概要図である。
【図８】図８は、モータロックシステムＣ及び電動ロック環２、９の構造概要図である。
【図９】図９は、シリンダ機構Ｂの構造概要図である。
【図１０】図１０は、機械的ロック機構Ｄが回転デッドボルト１６をロックするときの動作概要図である。
【図１１】図１１は、機械的ロック機構Ｄが回転デッドボルト１６をロックせず、取っ手が準備状態にあるときの動作概要図である。
【図１２】図１２は、機械的ロック機構Ｄが回転デッドボルト１６をロックせず、取っ手が回転デッドボルト１６の回転を制御してドアを開けるときの動作概要図である。
【図１３】図１３は、デッドボルト機構Ｅ及びデッドボルト収容機構を係合した構造概要図である。
【図１４】図１４は、デッドボルト収容機構の立体図である。
【図１５】図１５は、本発明の別の実施例におけるデッドボルト機構Ｅの動作概要図である。
【図１６】図１６は、本発明の別の実施例における機械的ロックシステムＤ及びシリンダ機構Ｂを係合した構造概要図である。
【図１７】図１７は、本発明の別の実施例における機械的ロック機構Ｄが回転デッドボルト１６をロックするときの動作概要図である。
【図１８】図１８は、本発明の別の実施例における機械的ロック機構Ｄが回転デッドボルト１６をロックせず、取っ手が準備状態にあるときの動作概要図である。
【図１９】図１９は、本発明の別の実施例における機械的ロック機構Ｄが回転デッドボルト１６をロックせず、取っ手が回転デッドボルト１６の回転を制御してドアを開けるときの動作概要図である。
【図２０】図２０は、本発明の別の実施例におけるデッドボルト機構Ｅ及びデッドボルト収容機構を係合した構造概要図である。
【図２１】図２１は、本発明の別の実施例におけるデッドボルト機構Ｅがロック状態である構造概要図である。
【図２２】図２２は、本発明の別の実施例におけるデッドボルト機構Ｅがロック解除状態である構造概要図である。
【図２３】図２３は、本発明の別の実施例におけるデッドボルト機構Ｅの分解概要図である。
【発明を実施するための形態】
【００８１】
当業者がより良好に本発明を理解することができるようにするため、以下、図及び実施例を組み合わせて本発明の技術案についてさらに説明する。
【実施例１】
【００８２】
図１〜図１４に示すように、公共空間及び私的空間を問わない錠前は、構造が同じ２つのサブロックシステムを含み、２つの前記サブロックシステムは鏡面対称に配置される。２つの前記サブロックシステムは、いずれもシリンダ機構Ｂ、機械的ロック機構Ｄ及びモータロックシステムＣを含む。２つの前記シリンダ機構Ｂは、共同で１つのデッドボルト機構Ｅを運動させる。
【００８３】
図１〜図６に示すように、前記シリンダ機構Ｂはデッドボルト制御環１、機械的ロック環４、１０、電動ロック環２、９、制御カラム８、１１、電動ロック解除カム６及びバネ３を含む。前記デッドボルト制御環１は、前記デッドボルト機構Ｅとの係合を制御する。前記バネ３は前記制御カラム８、１１と回転トルクを形成し、前記バネ３はロック解除の反対方向に前記電動ロック環２、９を牽引する。図４に示すように、２つの前記シリンダ機構Ｂは１つの前記デッドボルト制御環１を共用し、前記制御カラム８、１１は同一軸上にあり、同軸回転することができる。
【００８４】
図４に示すように、２つの制御カラム８、１１の横断面は矩形であり、２つの制御カラム８、１１のうち１つの制御カラム８の端面に回転ロッド８１が設置され、もう１つの制御カラム１１の端面にカウンターボアを有する。回転ロッド８１はカウンターボア内に挿入され、回転ロッド８１はカウンターボア内で回転することができる。前記回転ロッド８１は前記デッドボルト制御環１を固定されずに通過し、前記デッドボルト制御環１は回転ロッド８１を中心にして回転することができる。図９に示すように、Ｎ１は自動ロック解除カム２１の運動の軌道であり、Ｎ２は自動ロック解除カム２４の運動の軌道である。Ｚ１はロック解除状態、Ｚ２は準備段階、Ｚ３は手動でデッドボルトをロックした状態である。Ｚ２は図９で取っ手を時計回りに回転させてＺ１状態になり、取っ手を反時計回りに回転させてＺ３状態になる。
【００８５】
図４、図９、図１０、図１１、図１２に示すように、制御カラム８、１１のいずれにも制御スリーブ７が嵌められ、前記制御カラム８、１１は前記制御スリーブ７とスプラインにより係合する。２つの制御スリーブ７に第１制御ピン７１及び第２制御ピン７２がそれぞれ設けられ、前記第１制御ピン７１及び第２制御ピン７２は回転ロッド８１を中心にして公転する。第１制御ピン７１がデッドボルト制御環１をロック解除方向に制御すること、及び第２制御ピン７２がデッドボルト制御環１をロック解除方向に制御することは同じである。
【００８６】
図４、図９、図１０、図１１、図１２に示すように、前記制御スリーブ７は順番に電動ロック解除カム６及び機械的ロック環４を通過し、前記制御スリーブ７はそれぞれ電動ロック解除カム６及び機械的ロック環４とスプラインにより係合する。前記第１制御ピン７１は順番に電動ロック解除カム６、機械的ロック環４、電動ロック環２、デッドボルト制御環１及び電動ロック環９を通過する。前記第１制御ピン７１が取っ手に伴って回転するとき、前記電動ロック環２は回転せず、前記デッドボルト制御環１は回転し、前記電動ロック環９は回転する。前記第２制御ピン７２は順番に電動ロック解除カム６、機械的ロック環１０、電動ロック環９、デッドボルト制御環１及び電動ロック環２を通過する。前記第２制御ピン７２が取っ手に伴って回転するとき、前記電動ロック環９は回転せず、前記デッドボルト制御環１は回転し、前記電動ロック環２は回転する。
【００８７】
図４、図９、図１０、図１１、図１２に示すように、ここで実現する形態は次の通りである。第１制御ピン７１及び第２制御ピン７２の横断面はいずれも扇形であり、扇形の弧度はｍである。電動ロック環２に２つの弧状貫通孔を有し、１つの弧状貫通孔の弧度は２ｍであり、もう１つの弧状貫通孔の弧度は３ｍであり、電動ロック環９は電動ロック環２と鏡面対称である。第１制御ピンは電動ロック環２の３ｍ弧度の弧状貫通孔と係合し、第１制御ピン７１は電動ロック環２の弧状貫通孔内で時計回り及び反時計回りに同じ角度回転することができる。第１制御ピン７１が電動ロック環２における３ｍ弧度の弧状貫通孔の中間位置にあるとき、電動ロック環２は準備状態にある。第１制御ピン７１はデッドボルト制御環１の２ｍ弧度の弧状貫通孔と係合し、第１制御ピン７１がロック解除方向に回転するとき、デッドボルト制御環１は続けて回転する。第１制御ピン７１がロック解除の反対方向にｍ弧度回転するとき、デッドボルト制御環１は回転しない。第１制御ピン７１は電動ロック環９の２ｍ弧度の弧状貫通孔と係合し、電動ロック環９がロックされた場合、第１制御ピン７１はロック解除方向に回転することができず、第１制御ピン７１はロック解除の反対方向にｍ弧度回転することができる。第１制御ピン７１及び第２制御ピン７２の構造は類似するため、ここでは述べない。
【００８８】
図４、図９、図１０、図１１、図１２に示すように、動作工程を説明する。電動ロック環２がロックされたとき、制御カラム１１はロック解除方向の動作を実現することができず、電動ロック環９がロックされたとき、制御カラム８はロック解除方向の回転を実現することができない。制御カラム８、１１は単独でデッドボルト制御環１を制御し、さらに互いに干渉することはない。機械的ロック環４は制御カラム８と同時に回転し、機械的ロック環１０は制御カラム１１と同時に回転する。
【００８９】
図１３、図１４に示すように、前記デッドボルト機構Ｅは回転デッドボルト１６及びねじりバネ１７を含む。前記回転デッドボルト１６に回転心棒が固定して設けられ、前記回転デッドボルト１６は前記回転心棒を中心にして回転する。前記ねじりバネ１７は、前記回転デッドボルト１６が閉じた状態を保持するように制御する。前記回転デッドボルト１６は前記デッドボルト制御環１と係合し、前記回転デッドボルト１６は板状構造で半円形状である。前記回転デッドボルト１６に案内溝１６１を有し、前記デッドボルト制御環１にフック１ａが設けられ、前記フック１ａは前記案内溝１６１内に進入する。前記案内溝１６１内に位置制限突起１６１１が設けられ、前記フック１ａが前記位置制限突起１６１１と係合する。前記回転デッドボルト１６の回転過程で、前記フック１ａ及び前記位置制限突起１６１１は相対して回転すると同時に、さらに相対してスライドする。
【００９０】
前記回転デッドボルト１６の末端の角に位置止めブロック１６２が設けられ、前記位置止めブロック１６２及び前記デッドボルト制御環１の出力端はそれぞれ前記回転心棒の両側に位置する。前記位置止めブロック１６２は前記回転デッドボルト１６の末端の角部分に固定され、前記位置止めブロック１６２及び前記回転デッドボルト１６の各面がつながる部分はいずれも段状構造であり、前記位置止めブロック１６２は突起部分である。前記位置止めブロック１６２及び前記回転デッドボルト１６の非接続面は斜面又は曲面であり、前記位置止めブロック１６２及び前記回転デッドボルト１６の接続端は重要な部分である。
【００９１】
前記位置止めブロック１６２及び前記回転デッドボルト１６の非接続面が斜面であるとき、前記斜面は少なくとも３つある。このうちの２つの斜面は鏡面対称となり、もう１つの斜面は鏡面対称となる２つの前記斜面と接続される。
【００９２】
図１３、図１４に示すように、デッドボルト機構Ｅと係合するデッドボルト収容機構は、収容空洞ｂ１及び仕切り板ｂ２を含み、前記収容空洞ｂ１の空洞口は前記仕切り板ｂ２に遮られる。前記仕切り板ｂ２は第１貫通孔ｂ２１及び第２貫通孔ｂ２２を有し、前記位置止めブロック１６２は前記第１貫通孔ｂ２１内に回転して進入することができ、前記回転デッドボルト１６は前記第２貫通孔ｂ２２内に回転して進入することができる。前記第１貫通孔ｂ２１の孔口は矩形、前記第２貫通孔ｂ２２の孔口は矩形であり、前記第１貫通孔ｂ２１及び前記第２貫通孔ｂ２２は「凸」を逆さまにした構造を形成する。
【００９３】
動作工程：ドアが閉じた状態のとき、位置止めブロック１６２は収容空洞ｂ１内に位置し、ねじりバネ１７は回転デッドボルト１６に圧力を付与し、これにより回転デッドボルト１６は時計回りに回転する傾向を有する。フック１ａの末端が案内溝１６１内に進入し、さらに位置制限突起１６１１と係合してフック１ａが時計回りに回転するとき、回転デッドボルト１６は反時計回りに回転し、位置止めブロック１６２は第１貫通孔ｂ２１部分から回転して出る。ドア板内に回転して入ると、ドア板を押し動かして、ドアを開ける動作を実現する。ドアを閉じる動作を必要とするとき、同じ操作を行う。
【００９４】
デッドボルト機構Ｅの特徴：１、回転により開閉動作を実現し、非正常な状況での誤操作を防止する。２、位置止めブロックの設置により、回転デッドボルトが収容空洞に回転して進入した後にかみ合う。逆方向に回転させないと開く動作を行うことができず、ロック状態がより信頼できる。３、板状構造の回転デッドボルトは、幅が比較的広く、ドアの無理な突破に対するとき、より大きなせん断力を受けることができる。４、引き戸、折れ戸などに適用される。ドアを開く方向を変えるとき、デッドボルトの方向の設定が省かれる。すなわちドアを開く２つの方向は等しい。
【００９５】
図１〜図８に示すように、機械的ロックシステムＤ及びモータロックシステムＣについて、前記機械的ロックシステムＤは前記機械的ロック環４、１０と係合し、前記モータロックシステムＣは前記電動ロック環２、９と係合する。
【００９６】
図１〜図８に示すように、機械的ロック位置センサＡ１がさらに含まれ、前記機械的ロック位置センサＡ１は前記機械的ロックシステムＤの状態位置に定位される。機械的ロック環４、１０に検出棒状板５が設けられ、検出棒状板５は棒状孔５１を有する。１つの心棒が棒状孔５１を通過し、検出棒状板５は心棒を中心にして回転することができる。機械的ロック位置センサＡ１は機械作動センサを採用し、運動時に異なる位置の機械的ロック位置センサＡ１を作動させ、これによりトラッキングを実現する。
【００９７】
図１〜図８に示すように、モータロック位置センサＡ２がさらに含まれ、前記モータロック位置センサＡ２は前記モータロックシステムＣの状態位置に定位される。モータロック位置センサＡ２は、機械作動センサを採用することができる。モータロック位置センサＡ２は電動位置止めフック１９の位置に定位される。
【００９８】
機械的ロック位置センサＡ１及びモータロック位置センサＡ２は、センサシステムＡを構成する。
【００９９】
図１〜図８、図１０、図１１、図１２に示すように、前記機械的ロックシステムＤは機械的ロックカム１２、１３、圧縮バネ１５、接続片１４及び機械的ロック筐体３０を含む。接続片１４にノッチを有し、圧縮バネ１５はノッチ内に位置する。
【０１００】
前記圧縮バネ１５は前記機械的ロック筐体３０内に位置し、前記接続片１４の一部は前記機械的ロック筐体３０内に固定されずに進入する。前記接続片１４の一端は前記圧縮バネ１５と接触し、もう一端は前記機械的ロックカム１２、１３と心棒を介して接続される。前記機械的ロックカム１２、１３は機械的ロック環４、１０と係合し、前記機械的ロックカム１２、１３には位置止め突起１２１、１３１が設けられる。前記機械的ロック環４、１０にフックが設けられ、前記フックは前記位置止め突起１２１、１３１と係合する。前記機械的ロック筐体３０に２つの第１位置止め孔３０ａが設けられ、２つの前記接続片１４に第２位置止め孔１４ａがそれぞれ対応して設けられる。
【０１０１】
図１０、図１１、図１２に示すように、動作を説明する。機械的ロック環４がロック解除の反対方向にｍ弧度回転するとき、機械的ロック環４は機械的ロックカム１２を押し上げ、機械的ロックカム１２は圧縮バネ１５を圧縮する。機械的ロックカム１２の末端が回転デッドボルト１６の回転経路上まで回転し、これにより回転デッドボルト１６を回転させてロック解除することができない。機械的ロック環１０、機械的ロックカム１３、圧縮バネ１５及び回転デッドボルト１６の係合方式は類似するため、ここでは述べない。
【０１０２】
前記位置止め突起１２１、１３１及び前記機械的ロック環４、１０のフックが係合する作用は次の通りである。機械的ロック環４、１０がロック解除方向に回転するとき、フックが位置止め突起１２１、１３１に掛かり、これにより機械的ロックカム１２、１３を回転デッドボルト１６の回転経路から離脱させる。機械的ロックカム１２、１３が回転デッドボルト１６を妨げ、ロック解除動作に影響を及ぼすのを防止する。
【０１０３】
錠前を取り付けるとき、１つの差込ピンを第１位置止め孔３０ａ及び第２位置止め孔１４ａに挿入すると、１つの前記接続片１４は固定され、接続片１４は前記機械的ロック筐体３０内で内に運動することも、外に運動することもない。このときロックされた側の接続片１４はロック解除の反対方向に取っ手を回転させることにより、デッドボルトをロックすることができない。差込ピンを取り付けていないとき、２つの接続片１４はいずれもロックされない。具体的に取り付けるとき、実際の部屋のドアに必要な論理に基づいて選択し、１つの接続片１４をロックするか、又は２つの接続片１４をいずれもロックしないか、又は２つの接続片１４をいずれもロックするかを選択することができ、各種論理の組合せの選択を実現する。
【０１０４】
図１〜図８に示すように、前記モータロックシステムＣは、鏡面対称の２組の伝動機構及び鏡面対称の２つの電動位置止めフック１９を含む。２組の伝動機構は１つのモータ２９により駆動される。
【０１０５】
前記伝動機構は、前記モータ２９の動力を前記電動位置止めフック１９に伝動する。２組の伝動機構の間に仕切り板１８が設けられ、仕切り板１８に対して鏡面対称である。
【０１０６】
前記電動ロック環２、９にフック部が設けられ、前記電動位置止めフック１９は前記フック部と係合する。電動位置止めフック１９が前記電動ロック環２、９のフック部に掛かるとき、電動ロック環２、９はロックされる。
【０１０７】
前記伝動機構は歯車伝動であり、２組の伝動機構は仕切り板１８の両側で鏡面対称に配置される。
【０１０８】
前記伝動機構は入力歯車２６、第１中間歯車２７、第２中間歯車２５、第３中間歯車２３及び出力歯車２０を含む。前記入力歯車２６は前記第１中間歯車２７と同軸であり、前記第１中間歯車２７、第２中間歯車２５、第３中間歯車２３及び出力歯車２０は順番に噛合する。
【０１０９】
前記入力歯車２６は冠歯車であり、前記第１中間歯車２７及び前記第３中間歯車２３はいずれも一方向歯車である。
【０１１０】
第１中間歯車２７の一方向回転の実現形態は次の通りである。前記第１中間歯車２７に１つの回転軸が固定される。回転軸に１つのオーバーランニングクラッチ２２が固定して嵌められ、オーバーランニングクラッチ２２にさらに前記第１中間歯車２７が嵌められる。オーバーランニングクラッチ２２の作用は次の通りである。モータが正回転するとき、１つの鏡面の伝動機構が出力し、モータが逆回転するとき、もう１つの鏡面の伝動機構が出力する。すなわち２つの鏡面で、モータの正回転により１つの鏡面の第１中間歯車２７が駆動し、もう１つの鏡面の第１中間歯車２７に嵌めたオーバーランニングクラッチ２２は空回りする。モータが逆回転するとき、同様に、モータが１つの方向に回転し、１つの伝動機構のみが出力することができる。
【０１１１】
第３中間歯車２３の一方向回転の実現形態は次の通りである。錠ケースに１つの回転軸が設置される。回転軸にオーバーランニングクラッチ２２が嵌められ、オーバーランニングクラッチ２２にさらに第３中間歯車２３が嵌められ、第３中間歯車２３はさらに出力歯車２０と噛合する。伝動過程は、第３中間歯車２３の回転が出力歯車２０を駆動するが、出力歯車２０は反対方向に第３中間歯車２３を駆動することはできない。電子錠システムにおいて、ドアの開閉などの振動により歯車が自由に回転するのを防止するのに成功している。
【０１１２】
オーバーランニングクラッチは電気機械一体化製品の発展に伴って出現した基本部品であり、原動機及び工作機械間、又は機器内部の駆動軸及び従動軸間の動力を伝達及び分離する機能として用いられる重要部品である。これは駆動、従動部分の速度変化又は回転方向の変換を利用して、自ら離合する機能を有する装置である。オーバーランニングクラッチは、ワンウェイ式オーバーランニングクラッチ、ローラ式オーバーランニングクラッチ及びラチェット式オーバーランニングクラッチに分けられる。オーバーランニングクラッチは既存技術であり、ここでは述べない。
【０１１３】
最後に、出力歯車２０は前記電動位置止めフック１９を周期的に揺動させる。
【０１１４】
図４に示すように、２つの前記伝動機構は１つのモータ２９を共用し、前記モータ２９の出力端に駆動歯車２８が設けられる。前記駆動歯車２８は前記モータの出力軸に嵌められ、前記駆動歯車２８は２つの入力歯車２６とそれぞれ噛合する。両側における２つの電動位置止めフック１９の動作状態は次の通りである。１つの鏡面の電動位置止めフック１９が動作すると、もう１つの鏡面の電動位置止めフック１９は動作しない。モータが正回転及び逆回転するとき、２つの鏡面の電動位置止めフック１９は交互に往復して相応する側の開閉状態を制御する。
【０１１５】
図４に示すように、前記電動位置止めフック１９の一端はフック部端であり、前記電動位置止めフック１９のもう一端は心棒接続端である。前記電動位置止めフック１９に楕円貫通孔が設けられ、前記楕円貫通孔は前記フック部端及び前記心棒接続端の間に位置し、電動位置止めフック１９は心棒を中心にして揺動する。
【０１１６】
前記出力歯車２０の端面に偏心カラム２０１が設けられ、前記偏心カラム２０１は前記楕円貫通孔を通過する。前記出力歯車２０が回転するとき、前記偏心カラム２０１は出力歯車２０の固定軸を中心にして公転し、前記偏心カラム２０１は前記電動位置止めフック１９を揺動させる。
【０１１７】
電動位置止めフック１９の心棒接続端は異なる位置のモータロック位置センサＡ２を作動させ、これによりトラッキングを実現する。
【０１１８】
図３、図４、図６に示すように、前記シリンダ機構Ｂに電動ロック解除カム６が設けられ、前記電動ロック解除カム６は前記制御カラム８、１１と同時に回転する。前記モータロックシステムＣは自動ロック解除カム２１、２４をさらに含み、前記出力歯車２０は前記出力歯車２０と共回転軸で同時に回転する。２つの前記電動ロック解除カム６はそれぞれ前記自動ロック解除カム２１、２４と係合する。
【０１１９】
偏心カラム２０１は自動ロック解除カム２１、２４の端面に固定され、前記出力歯車２０を通過する。
【０１２０】
制御カラム８、１１がロック解除の反対方向に回転するとき、機械的ロック環４、１０が機械的ロックカム１２、１３の末端を回転デッドボルト１６のロック解除の回転軌道上に回転させ、回転デッドボルト１６のロックを実現する。モータ２９が電動位置止めフック１９を回転させるとき、自動ロック解除カム２１、２４も同時に回転する。自動ロック解除カム２１、２４が回転するとき、２つの電動ロック解除カム６をそれぞれ回転させる。２つの電動ロック解除カム６は制御カラム８、１１を準備状態に戻るまで回転させ、すなわち取っ手を準備状態まで戻す。モータ２９が１サイクル回転すると、偏心カラム２０１が楕円貫通孔の短軸の一端からもう一端に運動し、片道の揺動を実現する。モータ２９が自動ロック解除カム２１、２４を回転させるとき、必然的に電動ロック解除カム６を元の位置に動かし、これにより機械的ロックカム１２、１３の回転デッドボルト１６に対するロック解除を実現する。
【０１２１】
図２に示すように、本発明の錠前は位置止めボスがさらに設けられる。回転デッドボルト１６部分に位置止めボスを設けて、デッドボルトのロック解除過程で回転角度が過度に大きくなるのを防止する。さらに、デッドボルト制御環１のロック解除回転方向の反対方向に位置止めボスが設けられ、電動ロック環２、９部分に位置止めボスが設けられる。デッドボルト制御環１のフック構造は引っ張りバネ３に牽引された状態で、回転の変位が留められるが、ロック解除方向の回転の変位はボスに制限されない。
【実施例２】
【０１２２】
さらなる実施例において、図１５〜２３に示すように、電子ロックシステムがプラスチックカードの類の物で無効化され、無理にドアが開かれるのを防止するため、前記実施例を基に、デッドボルト１６の片側に、第１デッドボルト同期部品１６３及び第２デッドボルト同期部品１６４がデッドボルトの回転軸と同軸で設置される。このうち、第２デッドボルト同期部品１６４はデッドボルト１６及び第１デッドボルト同期部品１６３の間に設置される。デッドボルト１６がＺ３回転に沿ってドアをロックするとき、第２デッドボルト同期部品１６４はデッドボルト１６と同期するが、直線で動作し外に延伸する。本実施例において、デッドボルト１６の位置制限突起１６１１は、第１の実施例と比較して、凹状でよいが、これは第１実施例と同じ作用であり、ここでは述べない。第１デッドボルト同期部品１６３及び第２デッドボルト同期部品１６４の追加により、本発明の実施例に伸縮材３１、両端ねじりバネ３２、フック３３をさらに含む。デッドボルト１６がロック解除状態のとき、図１６に示すように、フック３３はデッドボルト１６に当接する。両端ねじりバネ３２はフック３３内に設置され、一端はフック３３を押さえ、もう一端は機械的ロック筐体３０に当接し、これによりフック３３はデッドボルト１６が回転するとき共に動作することができる。デッドボルト１６の位置制限突起１６１１が通過すると、フック３３はデッドボルト１６に掛かり、デッドボルト１６はドアから出ることができない。伸縮材３１はドアを閉じたとき力を受けて錠前の内部方向に移動することができ、さらには時計回りにフック３３を回転させ、これによりフック３３は位置制限突起１６１１を留める範囲から離脱し、デッドボルト１６を解放する。図１５〜１６に示す通りである。さらに、説明すべきこととして、伸縮材３１の錠前内部から離れた側は弧状であり、全てのタイプのドアに適用される。伸縮材３１、両端ねじりバネ３２及びフック３３の設置により、ドアがドア枠から離れたときデッドボルトが出ないようにすることができ、さらには全体的な調和を向上させる。デッドボルトが不必要に出ることにより、糸、紐、又はその他のロープ状の物が引っかかるのも防止する。同時に、ドアを閉じるとき、デッドボルトのバネ力に抵抗する必要はなく、ドアを閉じる動作をよりスムーズにすることもできる。さらなる技術的効果において、このような設計は使用者がドアを開けるときデッドボルトを思いがけずにロックするのを防止することもできる。デッドボルトは、長期的にドアを開けるときに伸出し、引き戸を閉めるとき、ドア枠に衝突して一定の騒音が生じ、ドアロック自体が損耗する可能性があるが、この設計はデッドボルトがドア枠の一部に衝突するのを避けることができる。さらに、衝突は伸縮材３１に集中する。伸縮材３１に衝突すると、デッドボルト１６は自動的に跳び出すため、引き戸の跳ね返りを防止する機能に影響を及ぼさない。
【０１２３】
以上、本発明が提供する公共空間及び私的空間を問わない錠前について詳細な説明を行った。具体的な実施例の説明は、本発明の方法及びその重要な発想に対する理解を助けるために過ぎない。当業者は、本発明の原理を逸脱しない前提で、本発明に対していくつかの改良及び改変を行うこともでき、これらの改良及び改変も、本発明の特許請求の範囲の保護範囲内にあることを指摘しなければならない。
【図１】
2021526601.tif 000003
【図２】
2021526601.tif 000004
【図３】
2021526601.tif 000005
【図４】
2021526601.tif 000006
【図５】
2021526601.tif 000007
【図６】
2021526601.tif 000008
【図７】
2021526601.tif 000009
【図８】
2021526601.tif 000010
【図９】
2021526601.tif 000011
【図１０】
2021526601.tif 000012
【図１１】
2021526601.tif 000013
【図１２】
2021526601.tif 000014
【図１３】
2021526601.tif 000015
【図１４】
2021526601.tif 000016
【図１５】
2021526601.tif 000017
【図１６】
2021526601.tif 000018
【図１７】
2021526601.tif 000019
【図１８】
2021526601.tif 000020
【図１９】
2021526601.tif 000021
【図２０】
2021526601.tif 000022
【図２１】
2021526601.tif 000023
【図２２】
2021526601.tif 000024
【図２３】
2021526601.tif 000025
【国際調査報告】
2021526601.tif 000026
2021526601.tif 000027
2021526601.tif 000028
2021526601.tif 000029